(57)【要約】【課題】取外し具を用いて中栓をガラスびんから取り外す際、ガラスびん口部のリップ部が割れるのを防止する。【解決手段】口部の軸線を通る縦断面において、リップ部外側の縦方向の直線の下端に形成された外に凸のアール部の下方に傾斜面の直線が続き、該傾斜面の直線が水平面となす角度θが５５°〜６５°となるようにすることで、前記課題を解決する。【選択図】      図４
2010241474.tif 000002
【特許請求の範囲】
【請求項１】
口部外面上端部に中栓外筒壁の内周面が接触するリップ部が、
その下方に中栓外筒壁内周面下端部に形成された環状突条に係合する環状凹部が形成され、
該環状凹部は内側方向に向かって下降傾斜する傾斜面を有し、
口部の軸線を通る縦断面において、前記リップ部の縦方向の直線の下端に形成された外に凸のアール部の下方に前記傾斜面の直線が続き、
該傾斜面の直線が水平面となす角度が５５°〜６５°であることを特徴とする口部に中栓を装着するガラスびん。
【請求項２】
前記傾斜面の直線が水平面となす角度が５８°〜６２°である請求項１に記載のガラスびん。
【発明の詳細な説明】
【技術分野】
【０００１】
本発明は、各種飲料、調味料等の容器として使用される、口部に中栓と外蓋を装着するガラスびんに関する。
【背景技術】
【０００２】
中栓はびん口部に対し機械的に上方から一挙に打栓されるため、内容物である食用油、調味料、飲料等を消費した後にこれを容器から取り外すことは極めて困難であった。昨今は、びんを極力リターナブル化し、また、びんとプラスチック製の中栓とを分別回収し、資源をリサイクルする要請が高まり、下記特許文献１に示されるように、びん口部のリップ部直下に栓体を取り外すための縦溝を設け、中栓をびんから取り外しやすくしたガラスびんが提案されている。
【０００３】
また、下記特許文献２には、リップ部下方の傾斜面が水平面となす角度を３０°〜５０°とすることで、中栓を容易に取り外すことができ、かつ、中栓が不用意に外れることがない旨が開示されている。この文献が提案されて以降、口部に中栓を装着するほとんどのガラスびんのリップ部下の傾斜面の水平面となす角度は３０°〜３３°程度になっている。
【０００４】
また、中栓を容易に取り外すための器具（取外し具）が、下記特許文献３、４などに開示されている。
【先行技術文献】
【特許文献】
【０００５】
【特許文献１】実開昭５６−８４９１２号公報
【特許文献２】特開平１１−３４８９５３号公報
【特許文献３】特開２００３−２３７８９２号公報
【特許文献４】特開２００３−２３９５号公報
【発明の概要】
【発明が解決しようとする課題】
【０００６】
近年、消費者又はリサイクル業者が器具（取外し具）を用いて中栓をガラスびんから取り外す際、ガラスびん口部のリップ部が割れ、ケガをする事故が起きている。
【０００７】
出願人は、取外し具による中栓の取り外しにおいて、ガラスびん口部のリップ部が割れる原因を研究した結果、次のようなことが判明した。
【０００８】
例えば、図１に示すような取外し具３で中栓２をガラスびん１から取り外す場合、先ず図１に示すように取外し具３の先端部３１を、その凹形部３２が中栓を跨ぐように中栓に載せ、爪３３を中栓２の外筒壁２０下端に引っ掛ける。この状態では、爪３３の位置は図２のようになっている。なお、図中符号１７は外蓋を装着するための螺条、２２は注出筒、２３は内筒壁である。
【０００９】
図１の状態から矢印Ａの方向に柄３０を持って力を入れると、中栓２と取外し具の先端部３１が接触する支点において、矢印Ｂ方向の力が生じ、中栓に対して取外し具の先端部３１が矢印Ｂ方向にスリップ移動する。
その結果、図３に示すように、爪３３の先端がびんの内側方向（矢印Ｃ方向）に変位してリップ部下の環状凹部１１に入り込み、この状態で爪３３の先端に矢印Ｄ方向の大きな力が加わるため、リップ部が破損するのである。
【００１０】
本発明は、取外し具を用いて中栓をガラスびんから取り外す際、ガラスびん口部のリップ部が割れるのを防止することを課題とする。
【課題を解決するための手段】
【００１１】
本発明は、口部外面上端部に中栓外筒壁の内周面が接触するリップ部が、その下方に中栓外筒壁内周面下端部に形成された環状突条に係合する環状凹部が形成され、該環状凹部は内側方向に向かって下降傾斜する傾斜面を有し、口部の軸線を通る縦断面において、前記リップ部の縦方向の直線の下端に形成された外に凸のアール部の下方に前記傾斜面の直線が続き、該傾斜面の直線が水平面となす角度が５５°〜６５°であることを特徴とする口部に中栓を装着するガラスびんである。（請求項１）
【００１２】
口部の軸線を通る縦断面において傾斜面の直線が水平面となす角度の、さらに好ましい範囲は５８°〜６２°である。（請求項２）
【００１３】
口部の軸線を通る縦断面において傾斜面の直線が水平面となす角度（以下、単に「傾斜面の角度」という）を５５°以上にすると、図１に示す取外し具で中栓を取り外したときにリップ部が欠ける確率が従来の１／１０以下となる。これは、図３の状態から爪３３を矢印Ｄ方向に上昇させたときにガラスに発生する応力が、従来（傾斜面の角度３２．５°の場合）に比べて５４％になるためと思われる。
【００１４】
特に、傾斜面の角度を５８°以上とすると、図３の状態から爪３３を上昇させたときにガラスに発生する応力が、従来（傾斜面の角度３２．５°の場合）に比べてほぼ半分以下となり、爪は完全に傾斜面１２の表面を滑って上昇し、リップが欠けるおそれはほとんどなくなる。
【００１５】
傾斜面の角度が大きくなると中栓が抜けやすくなるが、消費者が使用するに際して中栓が不用意に抜けることは避けなければならない。いろいろな使用状態を勘案した結果、消費者の通常の使用に際して中栓に最も大きな抜ける力が作用するのは、中栓のプルリングを引っ張って注出筒の内側の注出口を開口するときである。
傾斜面１２の角度が６５°以下の場合、中栓のプルリングを引っ張って注出筒の内側の注出口を開口するときに中栓がびん口から抜けることが無く、したがって、消費者の通常の使用に際して中栓が不用意にびん口から抜けるおそれがない。
これは、本発明のガラスびんの場合、口部の軸線を通る縦断面において、リップ部１０の外側面に縦方向の直線部分を有し、中栓２の外筒壁２０がこの直線部分と干渉するので、その摩擦力により中栓の抜けが防止されるからである。
傾斜面１２の角度が６５°を超えると、傾斜面１２と中栓外筒壁の環状突条２１が干渉する可能性があり、好ましくない。
傾斜面１２の角度を６２°以下にすると、傾斜面１２と中栓外筒壁の環状突条２１が干渉するおそれは全くなくなり、また、実用上中栓が不用意に抜けるおそれも全くなく、非常に好ましい。
【発明の効果】
【００１６】
本発明のガラスびんは、取外し具を用いて中栓をガラスびんから取り外す際、ガラスびん口部のリップ部が割れるのを防止することができる。
また、消費者の通常の使用に際して中栓が不用意にびん口から抜けるおそれもない。
【図面の簡単な説明】
【００１７】
【図１】びん口部に取外し具を当てた状態の説明図である。
【図２】図１の爪付近の拡大図である。
【図３】爪が内側方向に移動した状態の説明図である。
【図４】実施例のガラスびんの口部断面形状の説明図である。
【図５】実施例のガラスびんに取り外し治具による力Ｆが作用した状態の説明図である。
【図６】従来のガラスびんに取り外し治具による力Ｆが作用した状態の説明図である。
【図７】傾斜面に直角に負荷力が作用した場合のガラス表面に生じる応力分布の説明図である。
【発明を実施するための形態】
【実施例】
【００１８】
図４に実施例のガラスびん１の口部断面形状（軸線を通る縦方向断面）を示す。
天面１５の周縁のアール部１６に続いて、縦断面において縦方向の直線をなすリップ部１０（の外周面）が形成されている。リップ部１０には、中栓２の外筒壁２０の内周面が接触する。
リップ部１０の下方には、中栓２の外筒壁２０内周面下端部に形成された環状突条２１に係合する環状凹部１１が形成されている。
環状凹部１１は、内側に向かって（下方ほど外径が減少するように）下降傾斜した傾斜面１２を有する。縦断面において、傾斜面１２は直線であり、リップ部１０の縦方向の直線の下端に形成された外に凸のアール部１３（半径０．５ｍｍ）の下方に続いて形成されている。本実施例の場合、傾斜面１２の角度θは６０°である。
傾斜面１２の下方は、外側が凹のアール部１４に続いている。
【００１９】
図５は実施例のガラスびん（θ＝６０°）に取外し具による力Ｆが作用した状態の説明図、図６は従来例のガラスびん（θ＝３２．５°）における同様図である。
傾斜面１２に取り外し治具による力Ｆが作用した場合、力Ｆは、傾斜面１２に平行なスリップ力Ｓと、傾斜面１２に垂直な負荷力Ｅに分解できる。
本実施例の場合、取外し具により作用する力Ｆの多くはスリップ力Ｓとなり、爪３３は傾斜面１２に沿ってスリップしやすくなる。
一方、リップ部欠けの原因となるガラスへの負荷力Ｅは、従来例に比べて約４０％減少する。
【００２０】
上記の実施例及び従来例について、傾斜面に直角に１ｋｇｆの負荷力Ｅが作用した場合のガラス外表面に生じる応力分布をコンピュータ解析により求めた結果を図７に示す。同図において、色の黒い部分ほど大きな引張応力が作用している。負荷力が作用している部分は圧縮応力が発生して白く表されており、その周囲の濃い黒の部分に最大（引張）応力が発生している。
最大応力が、実施例は２３ＭＰａ、従来例は２９ＭＰａとなり、同じ負荷力が作用した場合に実施例は従来例に比べて最大応力が約２０％減少することがわかった。
【００２１】
実施例は従来例に比べて、負荷力が約４割減少し、負荷力が同じであっても発生応力が約２割減少することから、傾斜面に取外し具による力Ｆが作用した場合、ガラスに発生する応力は半分以下になる。
以上のことから、傾斜面の角度を６０°とした実施例は、取外し具を用いて中栓をガラスびんから取り外す際、ガラスびん口部のリップ部が割れるのをほぼ完全に防止することができる。
【００２２】
なお、各図において、便宜上、中栓を、取り外すに際の変形を無視して表示しているが、中栓はポリエチレンなどの軟質プラスチック製であるので、取外しに際して大きく変形する。
【符号の説明】
【００２３】
１  ガラスびん
１０  リップ部
１１  環状凹部
１２  傾斜面
１３  アール部
１４  アール部
１５  天面
１６  アール部
１７  螺条
２  中栓
２０  外筒壁
２１  環状突条
２２  注出筒
２３  内筒壁
３  取外し具
３０  柄
３１  先端部
３２  凹形部
３３  爪
【図１】
2010241474.tif 000003
【図２】
2010241474.tif 000004
【図３】
2010241474.tif 000005
【図４】
2010241474.tif 000006
【図５】
2010241474.tif 000007
【図６】
2010241474.tif 000008
【図７】
2010241474.tif 000009